(57)【要約】【課題】アドバイスメッセージの妥当性を向上可能なアドバイスメッセージ選択システム及び制御プログラムを提供する。【解決手段】アドバイスメッセージ選択システム１において、位置ベクトル取得部１３０は、健康に関連する関連項目をベクトル軸として、第１関連度によって示される健診結果の位置ベクトルと、第２関連度によって示される複数のアドバイスメッセージの位置ベクトルとを取得する。選択部１４０は、複数のアドバイスメッセージのうち健診結果の位置ベクトルに近い位置ベクトルを有するアドバイスメッセージを、健診結果に対応するアドバイスメッセージ候補として選択する。【選択図】図３
2010277574.tif 000002
【特許請求の範囲】
【請求項１】
受診者の健診結果を取得する健診結果取得部と、
健康に関連する項目である関連項目をベクトル軸として、前記健診結果と前記関連項目との関連度である第１関連度によって示される前記健診結果の位置ベクトルを取得するとともに、健康に関する複数のアドバイスメッセージと前記関連項目との関連度である第２関連度によって示される前記複数のアドバイスメッセージの位置ベクトルを取得する位置ベクトル取得部と、
前記複数のアドバイスメッセージのうち前記健診結果の位置ベクトルに近い位置ベクトルを有するアドバイスメッセージを、前記健診結果に対応するアドバイスメッセージ候補として選択する選択部と
を備えることを特徴とするアドバイスメッセージ選択システム。
【請求項２】
前記選択部によって選択されたアドバイスメッセージ候補の中から、指導者の操作によって指定された指定アドバイスメッセージに対応する前記第２関連度を、前記健診結果に対応する前記第１関連度に近づける変更部を備えることを特徴とする請求項１に記載のアドバイスメッセージ選択システム。
【請求項３】
前記関連項目は、食事、運動、肥満、高血圧、高血糖、高脂質、飲酒及び喫煙のうち少なくとも１つを含むことを特徴とする請求１又は２に記載のアドバイスメッセージ選択システム。
【請求項４】
前記第１関連度を健診項目の範囲ごとに格納する第１格納部と、
前記第２関連度を前記複数のアドバイスメッセージごとに格納する第２格納部と、指導者の操作に応じて、前記健診項目の内容、又は、前記複数のアドバイスメッセージの内容を変更する変更部とを備えることを特徴とする請求項１〜３に記載のアドバイスメッセージ選択システム。
【請求項５】
前記第１関連度を健診項目の範囲ごとに格納する第１格納部と、
前記第２関連度を前記複数のアドバイスメッセージごとに格納する第２格納部と、
アドバイスメッセージを入力するために使用する入力部と、該入力部から入力されたアドバイスメッセージの内容を解析してキーワードを抽出して該キーワードから関連項目を割り当てる解析部と、該解析部の結果および前記第１格納部の前記第１関連度を使用して前記入力部から入力されたアドバイスメッセージの位置ベクトルを算出する位置ベクトル算出部と、前記位置ベクトル算出部で算出された前記入力部から入力されたアドバイスメッセージの位置ベクトルに対応する関連度である第２関連度を算出する関連度算出部を備え、
位置ベクトル算出部は、前記関連度算出部で算出された第２関連度を第２格納部へ格納する
ことを特徴とする請求項１〜３に記載のアドバイスメッセージ選択システム。
【請求項６】
アドバイスメッセージを入力するために使用する入力部と、該入力部から入力されたアドバイスメッセージの内容を解析してキーワードを抽出して該キーワードから関連項目を割り当てる解析部と、該解析部の結果を使用して前記入力部から入力されたアドバイスメッセージの位置ベクトルを算出する位置ベクトル算出部と、前記位置ベクトル算出部で算出された前記入力部から入力されたアドバイスメッセージの位置ベクトルに対応する関連度である第２関連度を算出する関連度算出部を備えることを特徴とする請求項１〜４に記載のアドバイスメッセージ選択システム。
【請求項７】
アドバイスメッセージ選択システムとしてコンピュータを機能させる制御プログラムであって、コンピュータに、
受診者の健診結果を取得するステップと、
健康に関連する項目である関連項目をベクトル軸として、前記健診結果の前記関連項目に対する関連度である第１関連度によって示される前記健診結果の位置ベクトルを取得するとともに、健康に関する複数のアドバイスメッセージの前記関連項目に対する関連度である第２関連度によって示される前記複数のアドバイスメッセージの位置ベクトルを取得するステップと、
前記複数のアドバイスメッセージのうち前記健診結果の位置ベクトルに近い位置ベクトルを有するアドバイスメッセージを、前記健診結果に対応するアドバイスメッセージ候補として選択するステップと
を実行させることを特徴とする制御プログラム。
【請求項８】
受診者の健診結果を取得する健診結果取得部と、
健康に関連する項目である関連項目をベクトル軸として、前記健診結果と前記関連項目との関連度である第１関連度によって示される前記健診結果の位置ベクトルを取得するとともに、健康に関する複数のアドバイスメッセージと前記関連項目との関連度である第２関連度によって示される前記複数のアドバイスメッセージの位置ベクトルを取得する位置ベクトル取得部と、
前記複数のアドバイスメッセージのうち前記健診結果の位置ベクトルに近い位置ベクトルを有するアドバイスメッセージを、前記健診結果に対応するアドバイスメッセージ候補として選択する選択部と、
前記アドバイスメッセージ候補を表示する表示部と、
表示部に表示されたアドバイスメッセージ候補の中から指定された指定アドバイスメッセージを送出する送信部と
を備えることを特徴とする健康管理支援装置。
【発明の詳細な説明】
【技術分野】
【０００１】
本発明は、受診者に提示されるアドバイスメッセージを選択するアドバイスメッセージ選択システム及び制御プログラム、健康管理支援装置に関する。
【背景技術】
【０００２】
近年、動脈硬化、高血圧、糖尿病などの生活習慣病患者の増加が社会的に問題となっている。このような生活習慣病に対しては、投薬などによる治療よりも、指導者のアドバイスに従って生活習慣を改善するほうが効果的である。しかしながら、健診の受診者に生活習慣の改善を促す適切なアドバイスを与えるには、指導者の熟練を要する。
【０００３】
ここで、１日を複数の時間帯に分けるとともに、各時間帯における生活上の問題点をユーザに選択させることによって、ユーザにアドバイスメッセージを提示する手法が提案されている（特許文献１参照）。具体的には、特許文献１に記載の手法では、生活上の問題の原因となりうる複数の生活習慣それぞれに対して、ユーザが選択した問題点ごとにポイント加算し、ポイントの高い生活習慣のうちユーザ自身が思い当たる生活習慣をユーザに選択させることによって、選択された生活習慣に対するアドバイスメッセージがユーザに提示される。
【０００４】
また、健診項目ごとに複数のアドバイスメッセージの雛形を医師に提示する手法が提案されている（特許文献２参照）。この手法によれば、指導者は、健診結果に対するアドバイスメッセージを作成する際、複数のアドバイスメッセージの雛形のうちいずれかをベースとして用いることができる。
【先行技術文献】
【特許文献】
【０００５】
【特許文献１】特開２００７−１９３７８２号公報
【特許文献２】特開２００４−１０２７５６号公報
【発明の概要】
【発明が解決しようとする課題】
【０００６】
しかしながら、特許文献１に記載の手法では、生活上の問題点及びその原因となっている生活習慣をユーザに選択させるので、アドバイスメッセージの内容にユーザの主観が反映されてしまい、アドバイスメッセージの客観性が担保されていない。そのため、アドバイスメッセージの妥当性に欠けるおそれがある。
【０００７】
また、特許文献２に記載の手法では、指導者に複数のアドバイスメッセージを作成するための雛形が提示されるにすぎず、受診者に示されたアドバイスメッセージの妥当性は、指導者の熟練度合いに左右されてしまう。
【０００８】
本発明は、上述の状況に鑑みてなされたものであり、アドバイスメッセージの妥当性を向上可能なアドバイスメッセージ選択システム及び制御プログラムを提供することを目的とする。
【課題を解決するための手段】
【０００９】
本発明の特徴に係るアドバイスメッセージ選択システムは、受診者の健診結果を取得する健診結果取得部と、健康に関連する項目である関連項目をベクトル軸として、前記健診結果と前記関連項目との関連度である第１関連度によって示される前記健診結果の位置ベクトルを取得するとともに、健康に関する複数のアドバイスメッセージと前記関連項目との関連度である第２関連度によって示される前記複数のアドバイスメッセージの位置ベクトルを取得する位置ベクトル取得部と、前記複数のアドバイスメッセージのうち前記健診結果の位置ベクトルに近い位置ベクトルを有するアドバイスメッセージを、前記健診結果に対応するアドバイスメッセージ候補として選択する選択部とを備えることを要旨とする。
【００１０】
本発明の特徴に係るアドバイスメッセージ選択システムによれば、関連項目を共通の媒介係数として、複数のアドバイスメッセージと健診結果との関連度合いを定量的に判断することができる。そのため、複数のアドバイスメッセージの中から、妥当性の高いアドバイスメッセージ候補を指導者に提示することができる。
【００１１】
本発明の特徴に係るアドバイスメッセージ選択システムは、前記選択部によって選択されたアドバイスメッセージの中から、指導者の操作によって指定された指定アドバイスメッセージに対応する前記第２関連度を、前記健診結果に対応する前記第１関連度に近づける変更部を備えていてもよい。この場合、指導者の判断に即するように第２関連度が変更されるので、選択されるアドバイスメッセージ候補の妥当性をより高くすることができる。
【００１２】
本発明の特徴に係るアドバイスメッセージ選択システムにおいて、前記関連項目は、食事、運動、肥満、高血圧、高血糖、高脂質、飲酒及び喫煙のうち少なくとも１つを含んでいてもよい。
【００１３】
本発明の特徴に係るアドバイスメッセージ選択システムは、第１関連度を健診項目の範囲ごとに格納する第１格納部と、第２関連度を複数のアドバイスメッセージごとに格納する第２格納部と、指導者の操作に応じて、健診項目の内容、又は、複数のアドバイスメッセージの内容を変更する変更部とを備えていてもよい。この場合、実際の運用に即して第１格納部及び第２格納部を更新することができる。
【００１４】
本発明の特徴に係るアドバイスメッセージ選択システムは、使用者がアドバイスメッセージを入力するために使用する入力部２００と、該入力部から入力されたアドバイスメッセージの内容を解析してキーワードを抽出して該キーワードから関連項目を割り当てる解析部３００と、該解析部の結果を使用して前記入力部から入力されたアドバイスメッセージの位置ベクトルを算出する位置ベクトル算出部４００と、前記位置ベクトル算出部で算出された前記入力部から入力されたアドバイスメッセージの位置ベクトルに対応する関連度である第２関連度を算出する関連度算出部５００を備えることができる。この場合、新たにアドバイスメッセージを追加することができ、所望の場面でアドバイスメッセージ候補として表示させることができる。アドバイスメッセージに応じた位置ベクトルや第２関連度が算出されるので、位置ベクトルや第２関連度を算出する手間を省くことができる。
【００１５】
本発明の特徴に係る制御プログラムは、アドバイスメッセージ選択システムとしてコンピュータを機能させる制御プログラムであって、コンピュータに、受診者の健診結果を取得するステップと、健康に関連する項目である関連項目をベクトル軸として、健診結果の関連項目に対する関連度である第１関連度によって示される健診結果の位置ベクトルと、健康に関する複数のアドバイスメッセージの関連項目に対する関連度である第２関連度によって示される複数のアドバイスメッセージの位置ベクトルとを取得するステップと、複数のアドバイスメッセージのうち健診結果の位置ベクトルに近い位置ベクトルを有するアドバイスメッセージを、健診結果に対応するアドバイスメッセージ候補として選択するステップとを実行させることを特徴とする。
【００１６】
本発明の特徴に係る健康管理支援装置は、受診者の健診結果を取得する健診結果取得部と、健康に関連する項目である関連項目をベクトル軸として、前記健診結果と前記関連項目との関連度である第１関連度によって示される前記健診結果の位置ベクトルを取得するとともに、健康に関する複数のアドバイスメッセージと前記関連項目との関連度である第２関連度によって示される前記複数のアドバイスメッセージの位置ベクトルを取得する位置ベクトル取得部と、前記複数のアドバイスメッセージのうち前記健診結果の位置ベクトルに近い位置ベクトルを有するアドバイスメッセージを、前記健診結果に対応するアドバイスメッセージ候補として選択する選択部と、前記アドバイスメッセージ候補を表示する表示部と、表示部に表示されたアドバイスメッセージ候補の中から指定された指定アドバイスメッセージを送出する送信部とを備えることを特徴とする。
【００１７】
アドバイスメッセージ選択システムでは、システムを構成する上記各機能部が複数の装置にまたがっている。なお健康管理支援装置では、装置を構成する上記各機能部は一台の装置に存在している。
【発明の効果】
【００１８】
本発明によれば、アドバイスメッセージの妥当性を向上可能なアドバイスメッセージ選択システム及び制御プログラムを提供することができる。
【図面の簡単な説明】
【００１９】
【図１】本発明の実施形態に係るアドバイスメッセージ選択システム１の構成を示す概略図である。
【図２】本発明の実施形態に係るアドバイスメッセージ選択システム１の機能を示すブロック図である。
【図３】本発明の実施形態に係るアドバイスメッセージ選択システム１の動作を示すフロー図である。
【図４】本発明の別の実施形態に係るアドバイスメッセージ選択システム１の機能を示すブロック図である。
【図５】本発明の別の実施形態に係るアドバイスメッセージ選択システム１の動作を示すフロー図である。
【図６】本発明の別の実施形態に係る健康管理支援装置１０００の構成を示すブロック図である。
【図７】本発明の別の実施形態に係るアドバイスメッセージ選択システム１および健康管理支援装置１０００のブロック図である。
【発明を実施するための形態】
【００２０】
次に、図面を用いて、本発明の実施形態について説明する。以下の図面の記載において、同一又は類似の部分には、同一又は類似の符号を付している。ただし、図面は模式的なものであることに留意すべきである。
【００２１】
以下の説明において、指導者とは、健康診断を受けた受診者の健診結果に基づいて、受診者の生活習慣の改善を指導する者である。２００８年度より開始された特定健診保健指導では、保健師、管理栄養士、医師などが指導者として保健指導プログラムを作成し、受診者の生活習慣などについて定期的に指導することとされている。本発明は、このような指導者による指導を支援するためのものである。なお、指導者は受診者に指導する者であれば誰でもよいが、上記のような資格者などであることが望ましい。
（アドバイスメッセージ選択システムの概要）
アドバイスメッセージ選択システムは、受診者の健診結果に応じたアドバイスメッセージの候補（以下、「アドバイスメッセージ候補」という。）を選択する。また、アドバイスメッセージ選択システムは、アドバイスメッセージ候補のうち指導者によって指定されたアドバイスメッセージ（以下、「指定アドバイスメッセージ」という。）を、受診者に提供する。
【００２２】
まず、アドバイスメッセージ選択システムは、健康に関連する項目（以下、「関連項目」という。）を介して、健診結果と複数のアドバイスメッセージとを紐付けて記憶している。具体的には、健診結果と関連項目との関連の度合い（以下、「第１関連度」という。）は、健診項目の範囲ごとに数値で示されており、複数のアドバイスメッセージと関連項目との関連の度合い（以下、「第２関連度」という。）は、アドバイスメッセージごとに数値で示されている。なお、関連項目は、１つであってもよいし、複数であってもよい。なお、関連項目が複数ある場合には、アドバイスメッセージ選択システムは、第１関連度群と第２関連度群とを記憶していることに留意すべきである。
【００２３】
次に、アドバイスメッセージ選択システムは、関連項目をベクトル軸とした場合における健診結果の位置ベクトルと複数のアドバイスメッセージの位置ベクトルとを取得する。ここで、本実施形態において、位置ベクトルとは、関連項目をベクトル軸とした場合に、ベクトル軸の原点から関連度（又は、関連度群）によって示される座標へ向かうベクトルである。
【００２４】
次に、アドバイスメッセージ選択システムは、複数のアドバイスメッセージのうち健診結果の位置ベクトルに近い位置ベクトルを有するものをアドバイスメッセージ候補として選択する。
【００２５】
以上により、指導者は、アドバイスメッセージ候補の中から、健診結果を考慮して妥当なアドバイスメッセージを指定することができる。その結果、健診結果を用いることによって客観性を担保しつつ、指導者の判断による妥当なアドバイスメッセージを受診者に提供することができる。また、健診結果の位置ベクトルに近い位置ベクトルを有するアドバイスメッセージをアドバイスメッセージ候補として選択する手法を採ることで、健診結果とアドバイスメッセージ候補を固定的に対応させる必要がない、健診結果に対するアドバイスメッセージ候補が存在しないという事が起こらない、健診結果とアドバイスメッセージ候補の対応に柔軟性、冗長性を持たせることができる、また健診結果とアドバイスメッセージ候補の対応における指導者の恣意性を排除できる、などの効果も有する。さらに、上記の健診項目の範囲が追加、変更されたり、後述のようにアドバイスメッセージが追加された場合などでも対応可能である。
【００２６】
ここで言う客観性とは、例えば、指導者がアドバイスメッセージ選択システムにより提示されたアドバイスメッセージ候補の中からアドバイスメッセージを選択することから、指導者毎に異なる主観の影響を受けにくい事を表し、ここで言うアドバイスメッセージの妥当性は、例えば、上記指導者である保健師、管理栄養士、医師などの有資格者がアドバイスメッセージ選択システムにより提示されたアドバイスメッセージ候補の中から選択することから達成されることは明らかである。
【００２７】
以下、実施形態に係るアドバイスメッセージ選択システムについて詳細に説明する。
［第１実施形態］
（アドバイスメッセージ選択システムの構成）
以下において、実施形態に係るアドバイスメッセージ選択システムの構成について、図面を参照しながら説明する。図１は、実施形態に係るアドバイスメッセージ選択システム１の構成を示す概略図である。
【００２８】
なお、全ての実施形態においてアドバイスメッセージ選択システムでは、システムを構成する各機能部が複数の装置にまたがっており（複数の装置は不図示）、健康管理支援装置では、装置を構成する各機能部は一台の装置に存在している。図６に、実施形態に係る健康管理支援装置１０００の構成（概略図）を示す。
【００２９】
以下の全実施形態では、アドバイスメッセージ選択システムで説明を行うが、これらの点を加味することで健康管理支援装置についても容易に想到できるのは明らかである。
【００３０】
図１に示すように、アドバイスメッセージ選択システム１は、健診結果データベース１０、通信網２０、指導者側端末３０及び受診者側端末４０を備える。
【００３１】
健診結果データベース１０は、受診者が受診すべき複数の健診項目についての健診結果を、受診者ごとに格納する。健診項目とは、身長、体重、ＢＭＩ（Body Mass Index）、腹囲（内臓脂肪面積）、最高血圧、最低血圧、中性脂肪、ＨＤＬコレステロール、ＬＤＬコレステロール、ＡＳＴ（ＧＯＴ）、ＡＬＴ（ＧＰＴ）、γ-ＧＴ（γ-ＧＴＰ）、血糖又はＨｂＡ1ｃ、尿糖、尿蛋白などである。健診結果データベース１０は、例えば、サーバ（不図示）内に設けられている。
【００３２】
通信網２０は、健診結果データベース１０と指導者側端末３０とを通信可能に接続する。指導者は、指導者側端末３０を操作することによって、健診結果データベース１０から受診者の健診結果を取得できる。また、通信網２０は、指導者側端末３０と受診者側端末４０とを通信可能に接続する。指導者は、指導者側端末３０を操作することによって、指定した指定アドバイスメッセージを受診者側端末４０に送信できる。
【００３３】
指導者側端末３０及び受診者側端末４０は、例えば、通信機能を有するＰＣ（Personal Computer）端末である。指導者側端末３０及び受診者側端末４０それぞれは、携帯端末やPDA（Personal Digital Assistants）、ノートPC（personal computer）などのモバイル端末であってもよい。
【００３４】
（アドバイスメッセージ選択システムの機能）
以下において、実施形態に係るアドバイスメッセージ選択システム１の機能について、図面を参照しながら説明する。図２は、実施形態に係るアドバイスメッセージ選択システム１の機能を示すブロック図である。
【００３５】
図２に示すように、アドバイスメッセージ選択システム１は、健診結果取得部１００、第１格納部１１０、第２格納部１２０、位置ベクトル取得部１３０、選択部１４０、表示部１５０、受付け部１６０、送信部１７０及び変更部１８０を備える。なお、以下に説明する各構成要素は、アドバイスメッセージ選択システム１内に分散して配置されていてもよいし、指導者側端末３０内に纏めて配置されていてもよいことに留意すべきである。この場合、指導者側端末３０が健康管理支援装置１０００となる。
【００３６】
健康管理支援装置１０００は、図６に示すように、健診結果取得部１００、第１格納部１１０、第２格納部１２０、位置ベクトル取得部１３０、選択部１４０、表示部１５０、受付け部１６０及び変更部１８０を装置内部に備える。
【００３７】
健診結果取得部１００は、健診結果データベース１０から、受診者が受診すべき既述の健診項目について、受診者の健診結果を取得する。
【００３８】
第１格納部１１０は、健康に関連する項目である関連項目と健診項目との関連の度合いを示す第１関連度を、健診項目の範囲ごとに格納する。第１格納部１１０が格納する第１テーブルの一例を表１に示す。なお、本実施形態では、８つの関連項目を用いているので、第１格納部１１０は、関連項目ごとに与えられる複数の第１関連度、すなわち、第１関連度群を格納している。
【００３９】
【表１】
2010277574.tif 000003
【００４０】
表１の例では、健診項目の例として、BMI、腹囲及び最高血圧を挙げているが、これに限られるものではない。なお、後述するように、指導者は、健診項目の内容及び数を適宜変更することができる。
【００４１】
また、表１の例では、関連項目の例として、「食事」、「運動」、「肥満」、「高血圧」、「高血糖」、「高脂質」、「飲酒」及び「喫煙」の８つを挙げているが、これに限られるものではない。なお、後述するように、指導者は、関連項目の内容及び数を適宜変更することができる。
【００４２】
また、表１の例では、各健診項目は３つの範囲に分別されているが、これに限られるものではない。健診項目は、２つ又は４つ以上の範囲に分類されていてもよい。
【００４３】
また、第１テーブルの例では、健診項目と関連項目との第１関連度は、０，１，２，３の４段階で表されているが、これに限られるものではない。ただし、第１関連度は、保健指導の専門家によって初期設定されることが好ましい。
【００４４】
なお、第１関連度は、関連項目と健診項目との関係の深さを示しており、関係が深いほど大きい値に設定されている。例えば、８つの関連項目と「BMI：３０以上」との第１関連度群は、「食事、運動、肥満、高血圧、高血糖、高脂質、飲酒、喫煙」の順に、「３，３，３，１，２，２，０，０」である。従って、「BMI：３０以上」の範囲は、「食事」、「運動」、「肥満」と深い関係があり、「飲酒」、「喫煙」とはほとんど関係がない。
【００４５】
第２格納部１２０は、関連項目と健康に関する複数のアドバイスメッセージとの関連の度合いを示す第２関連度を、複数のアドバイスメッセージごとに格納する。アドバイスメッセージとは、指導者によって受診者に提示される指導内容を示している。第２格納部１２０が格納する第２テーブルの一例を表２に示す。なお、本実施形態では、８つの関連項目を用いているので、第２格納部１２０は、関連項目ごとに与えられる複数の第２関連度、すなわち、第２関連度群を格納している。
【００４６】
【表２】
2010277574.tif 000004
【００４７】
表２の例では、８つのアドバイスメッセージを挙げているが、これに限られるものではない。なお、後述するように、指導者は、複数のアドバイスメッセージの内容及び数を適宜変更することができる。ただし、関連項目の数及び内容は、上記第１テーブルの関連項目の数及び内容と同じであることに留意すべきである。
【００４８】
また、表２の例では、関連項目と複数のアドバイスメッセージとの第２関連度は、０，１，２，３の４段階で表されるが、これに限られるものではない。ただし、第２関連度は、保健指導の専門家によって初期設定されることが好ましい。
【００４９】
なお、第２関連度は、関連項目と複数のアドバイスメッセージとの関係の深さを示しており、関係が深いほど大きい値に設定されている。例えば、８つの関連項目と「醤油、塩を控えてポン酢、胡椒を使う」との第２関連度群は、「食事、運動、肥満、高血圧、高血糖、高脂質、飲酒、喫煙」の順に、「０，０，０，３，０，０，０，０」である。従って、「醤油、塩を控えてポン酢、胡椒を使う」というアドバイスメッセージは、「血圧」と深い関係があり、その他の関連項目とはほとんど関係がない。
【００５０】
位置ベクトル取得部１３０は、関連項目を軸として、第１関連度群によって示される健診結果の位置ベクトルと、第２関連度群によって示される複数のアドバイスメッセージの位置ベクトルとを取得する。
【００５１】
具体的には、位置ベクトル取得部１３０は、第１格納部１１０に格納される第１テーブルを参照して、健診結果に対応する第１関連度群を取得する。例えば、位置ベクトル取得部１３０は、受診者の受診結果として「BMI：３２」を取得した場合、第１格納部１１０から、「食事、運動、肥満、高血圧、高血糖、高脂質、飲酒、喫煙」の順に第１関連度群として「３，３，３，１，２，２，０，０」を取得する。  続いて、位置ベクトル取得部１３０は、関連項目をベクトル軸として、第１関連度群によって示される健診結果の位置ベクトルを取得する。例えば、上述のように、第１関連度群として「３，３，３，１，２，２，０，０」が取得された場合、位置ベクトル取得部１３０は、「食事、運動、肥満、高血圧、高血糖、高脂質、飲酒、喫煙」の８つの関連項目をベクトル軸として有する８次元のベクトル空間における座標（３，３，３，１，２，２，０，０）の位置ベクトルを取得する。
【００５２】
また、位置ベクトル取得部１３０は、第２格納部１２０に格納される第２テーブルを参照して、複数のアドバイスメッセージに対応する第２関連度群を取得する。
【００５３】
続いて、位置ベクトル取得部１３０は、関連項目をベクトル軸として、第２関連度群によって示される複数のアドバイスメッセージそれぞれの位置ベクトルを取得する。例えば、上述のように、「醤油、塩を控えてポン酢、胡椒を使う」の第２関連度群として「０，０，０，３，０，０，０，０」が取得された場合、位置ベクトル取得部１３０は、「食事、運動、肥満、高血圧、高血糖、高脂質、飲酒、喫煙」の８つの関連項目をベクトル軸として有する８次元のベクトル空間における座標（０，０，０，３，０，０，０，０）の位置ベクトルを取得する。
【００５４】
選択部１４０は、複数のアドバイスメッセージのうち、健診結果の位置ベクトルに近い位置ベクトルを有するアドバイスメッセージを、健診結果に対応するアドバイスメッセージ候補として選択する。
【００５５】
ここで、健診結果の位置ベクトルと複数のアドバイスメッセージの位置ベクトルすべてとが近いか否かは、例えば、以下の２つの手法によって評価することができる。
【００５６】
（１）位置ベクトルの方向の比較
第１の手法は、両位置ベクトルの方向が近いほど両位置ベクトルが近いと評価する手法である。
【００５７】
具体的には、両位置ベクトルの大きさを単位ベクトルに変換する。次に、両位置ベクトルの内積を算出する。内積の値が１に近いほど両位置ベクトルの方向が近い、すなわち両位置ベクトルは近いと評価できる。一方で、内積の値が０に近いほど両位置ベクトルの方向が離れている、すなわち両位置ベクトルは近くないと評価できる。
【００５８】
（２）位置ベクトルの方向及び長さの比較
第２の手法は、両位置ベクトルの方向及び長さが近いほど両位置ベクトルは近いと評価する手法である。当該手法には、次の２通りの評価方法がある。
【００５９】
[1]両位置ベクトルの差に基づく評価方法
まず、両位置ベクトルの差を算出する。差が０に近いほど両位置ベクトルの方向及び長さが近い、すなわち両位置ベクトルが近いと評価できる。一方で、差が大きいほど両位置ベクトルの方向及び長さが離れている、すなわち両位置ベクトルは近くないと評価できる。
【００６０】
[2]両位置ベクトルの内積に基づく評価方法
まず、上記第１の手法を用いて両位置ベクトルの方向を評価することによって、複数のアドバイスメッセージの位置ベクトルの中から、健診結果の位置ベクトルと方向が近い位置ベクトルを有するアドバイスメッセージを選出する。
【００６１】
次に、選出されたアドバイスメッセージの位置ベクトルと健診結果の位置ベクトルとの長さを比較する。両位置ベクトルの長さが近いほど両位置ベクトルは近いと評価できる。一方で、両位置ベクトルの長さが違うほど両位置ベクトルは近くないと評価できる。
【００６２】
なお、選択部１４０は、健診結果に対応するアドバイスメッセージ候補として、複数のアドバイスメッセージ候補を選択してもよい。また、選択部１４０は、健診結果の位置ベクトルに近い位置ベクトルを有するアドバイスメッセージがない場合には、アドバイスメッセージ候補を選択しなくてもよい。また、選択部１４０は、複数の健診項目について複合的に評価してもよく、例えば、複数の健診項目毎の健診結果の位置ベクトルの和或いは相加平均が、複数のアドバイスメッセージの位置ベクトルすべてと近いか否かを評価してもよい。
【００６３】
表示部１５０は、選択部１４０によって選択されたアドバイスメッセージ候補を表示する。表示部１５０は、指導者側端末３０のディスプレイである。表示部１５０は、例えば、健診結果の位置ベクトルと複数のアドバイスメッセージの位置ベクトルとの近さに応じて、健診結果に対応するアドバイスメッセージ候補の妥当性を定量的に（例えば、パーセント表示などによって）表示してもよい。指導者は、表示部１５０を確認することによって、選択されたアドバイスメッセージ候補の妥当性を判断することができる。
【００６４】
受付け部１６０は、指導者の入力操作を受付ける。受付け部１６０は、例えば、指導者側端末３０のキーボードやマウスである。指導者は、受付け部１６０を操作して、表示されたアドバイスメッセージ候補の中から、健診結果に基づき受診者に提示すべき妥当なアドバイスメッセージを指定する。また、指導者は、受付け部１６０を操作して、第１テーブルにおける健診項目の内容及び数の変更を入力できる。また、指導者は、第２テーブルにおけるアドバイスメッセージの内容及び数の変更を入力できる。
【００６５】
送信部１７０は、指導者によって指定されたアドバイスメッセージ（以下、「指定アドバイスメッセージ」という。）を、受診者側端末４０に送信する。
【００６６】
なお、受診者側へ指定アドバイスメッセージを表示する表示部、および送信部１７０から指定アドバイスメッセージを受信して該表示部へ送出する受信部の図示は省略する。なお、これらの受診者側へ指定アドバイスメッセージを表示する表示部、送信部１７０から指定アドバイスメッセージを受信して該表示部へ送出する受信部は、送信部１７０等と同じ装置の中に存在してもよい。この場合、健康管理支援装置が受診者側端末も兼ねることとなるのは明らかである。
【００６７】
変更部１８０は、受付け部１６０における指導者の入力操作に基づいて、第１テーブルにおける健診項目の内容及び数、及び第２テーブルにおけるアドバイスメッセージの内容及び数を変更する。
【００６８】
また、変更部１８０は、指導者の操作によって指定された指定アドバイスメッセージに対応する第２関連度群を、健診結果に対応する第１関連度群に近づける。これによって、次回以降の健診結果が今回の健診結果に近い場合には、指導者によって今回指定された指定アドバイスメッセージが選択される確率が高くなる。
【００６９】
なお、変更部１８０は、指導者が指定アドバイスメッセージを指定する度に、例えば１０％ずつ、第２関連度群を第１関連度群に近づけることができる。具体的には、変更部１８０は、第２関連度群に含まれる複数の第２関連度それぞれを１０％ずつ第１関連度群それぞれに含まれる複数の第１関連度それぞれに近づける場合には、次の式（１）に基づいて、第２関連度群に含まれる各第２関連度ｂを新たな第２関連度ｂ´に更新すればよい。上記より、式におけるａがｂに対応する第１関連度である。
【００７０】
ｂ´＝ｂ＋（ａ−ｂ）／１０  …（１）
ただし、変更部１８０は、同等の健診結果に対して同じアドバイスメッセージが所定回数指定された場合や、複数の指導者によって同等の健診結果に対して同じアドバイスメッセージが指定された場合に、第２関連度群を第１関連度群に近づけることとしてもよい。
【００７１】
（アドバイスメッセージ選択システムの動作）
以下において、実施形態に係るアドバイスメッセージ選択システム１の動作について、図面を参照しながら説明する。図３は、実施形態に係るアドバイスメッセージ選択システム１の動作を示すフロー図である。
【００７２】
当該フローは、前述のデータベースを有する不図示のサーバで実行されてもよいし、各構成要素（機能部）がアドバイスメッセージ選択システム１内に分散して配置されている場合には分散している機能部全体で実行され、各機能部が指導者側端末３０内に纏めて配置されている場合には指導者側端末３０で実行されるのは言うまでもない。
【００７３】
図３に示すように、ステップＳ１０において、アドバイスメッセージ選択システム１は、受診者の健診結果を取得する。アドバイスメッセージ選択システム１は前述のように、受診者の健診結果を検診結果データベース１０から取得する。
【００７４】
ステップＳ１１において、アドバイスメッセージ選択システム１は、第１テーブルを参照して、健診結果の第１関連度群を取得する。
【００７５】
ステップＳ１２において、アドバイスメッセージ選択システム１は、第２テーブルを参照して、複数のアドバイスメッセージそれぞれの第２関連度群を取得する。
【００７６】
ステップＳ１３において、アドバイスメッセージ選択システム１は、関連項目をベクトル軸として、第１関連度群によって示される健診結果の位置ベクトルと、第２関連度群によって示される複数のアドバイスメッセージそれぞれの位置ベクトルとを取得する。
【００７７】
ステップＳ１４において、アドバイスメッセージ選択システム１は、健診結果の位置ベクトルと複数のアドバイスメッセージそれぞれの位置ベクトルとを比較して、複数のアドバイスメッセージの中から、健診結果に対応するアドバイスメッセージ候補を選択する。具体的には、アドバイスメッセージ選択システム１は、複数のアドバイスメッセージのうち、健診結果の位置ベクトルに近い位置ベクトルを有するアドバイスメッセージを、健診結果に対応するアドバイスメッセージ候補として選択する。
【００７８】
ステップＳ１５において、アドバイスメッセージ選択システム１は、選択されたアドバイスメッセージ候補を表示する。アドバイスメッセージ選択システム１は前述のように、アドバイスメッセージ候補を表示部１５０に表示する。
【００７９】
ステップＳ１６において、アドバイスメッセージ選択システム１は、指導者によって指定された指定アドバイスメッセージを、受診者側端末４０に送信する。アドバイスメッセージ選択システム１は前述のように、指定アドバイスメッセージを、送信部１７０から受診者側端末４０に送出する。上記より、指導者は、アドバイスメッセージ選択システム１の出力部から出力されたアドバイスメッセージ候補に接することで、例えば表示部１５０に表示されたアドバイスメッセージ候補を見て、指定アドバイスメッセージを指定する。なお、アドバイスメッセージ候補は複数表示されてもよく、その中から指定アドバイスメッセージを指定してもよい。該出力部は、外部の出力装置への出力端子やそのインタフェース回路も含むものとする。
【００８０】
なお、アドバイスメッセージ選択システム１は、上述の通り、指定アドバイスメッセージに対応する第２関連度群を、健診結果に対応する第１関連度群に近づけてもよい。
【００８１】
（作用及び効果）
本実施形態に係るアドバイスメッセージ選択システム１において、位置ベクトル取得部１３０は、関連項目をベクトル軸として、第１関連度群によって示される健診結果の位置ベクトルと、第２関連度群によって示される複数のアドバイスメッセージそれぞれの位置ベクトルとを取得する。選択部１４０は、複数のアドバイスメッセージのうち健診結果の位置ベクトルに近い位置ベクトルを有するアドバイスメッセージを、健診結果に対応するアドバイスメッセージ候補として選択する。
【００８２】
また、共通の媒介係数として位置ベクトルを用いて簡便に妥当性の高いアドバイスメッセージ候補を選択できる。従って、複雑な概念の比較検証を関連項目ごとに単純に行うことができる。
【００８３】
従って、関連項目を共通の媒介係数として、複数のアドバイスメッセージそれぞれと健診結果との関係を定量的に判断することができる。そのため、アドバイスメッセージ候補が選択されないということがない。また、指導者は、選択されたアドバイスメッセージ候補の中から健診結果に即したアドバイスメッセージを指定できるので、妥当性の高いアドバイスメッセージを受診者に提示することができる。また、健診結果に基づいてアドバイスメッセージを選択するので、受診者の主観によらない客観性の高いアドバイスメッセージを提示できる。
【００８４】
また、本実施形態に係るアドバイスメッセージ選択システム１において、変更部１８０は、指導者の操作によって指定された指定アドバイスメッセージに対応する第２関連度を、健診結果に対応する第１関連度に近づける。従って、指導者の判断に即するように第２関連度が変更されるので、選択されるアドバイスメッセージ候補の妥当性をより高くすることができる。
【００８５】
また、本実施形態に係るアドバイスメッセージ選択システム１において、変更部１８０は、指導者の入力操作に基づいて、第１テーブルにおける健診項目の内容及び数、及び第２テーブルにおけるアドバイスメッセージの内容及び数を変更する。従って、実際の運用に即して第１テーブル及び第２テーブルを更新することができる。
［第２実施形態］
（アドバイスメッセージの新規追加について）
上述した実施形態では、第１関連度群から取得される健診結果の位置ベクトルと、第２関連度群から取得される複数のアドバイスメッセージそれぞれの位置ベクトルの近さを評価して、妥当性や客観性が高いアドバイスメッセージを提示した。しかし、各受診者個別に対応したものなど指導者が所望するアドバイスメッセージを追加したい場合に、指導者が新たにアドバイスメッセージを追加するための手段や当該追加したアドバイスメッセージに対応する第２関連度（位置ベクトル）を算出するための手段が述べられていない。そこで、本システムを使用する際の、アドバイスメッセージの新規追加方法および第２関連度（位置ベクトル）算出方法について説明する。
【００８６】
指導者の手間や客観性の維持などを考えると、アドバイスメッセージの内容に応じた位置ベクトルは自動で算出されることが望ましい。それを解決するには、入力されたメッセージの内容から、キーワードを見つけ出し、検査結果、キーワード、対応表などの情報から表２のベクトルのような値を自動的に算出する仕組みが望ましい。
【００８７】
本実施形態では、図４に示すアドバイスメッセージ選択システム１の機能ブロック図、図５に示す動作フローを使用する。これらにより、アドバイスメッセージの新規追加がなされる。なお、健康管理支援装置１０００はアドバイスメッセージ選択システム１を構成する健診結果取得部１００、第１格納部１１０、第２格納部１２０、位置ベクトル取得部１３０、選択部１４０、表示部１５０、受付け部１６０、送信部１７０及び変更部１８０を備えているので、本実施形態における健康管理支援装置の説明は、下記説明を第１実施形態（図６等）に適用すれば容易に想到できる。
【００８８】
図４における入力部２００は使用者が所望するアドバイスメッセージを新たに入力するために使用され、解析部３００は入力
部２００から入力されたアドバイスメッセージの内容を解析してキーワードを抽出し該キーワードから関連項目を割り当てる。位置ベクトル算出部４００は、解析部３００の結果（割り当てられた関連項目など）を使用して、また第１格納部のデータ（前記第１関連度など）を使用して、入力部２００から入力されたアドバイスメッセージの位置ベクトルを算出する。
【００８９】
具体的には、新たに入力されたアドバイスメッセージから、例えば表３に対応するようなキーワードを見つけ出し、食事、運動、肥満、喫煙、飲酒などの関連項目のいずれと関連するかを判定し、表１に示すような対象者の血液検査データ、生活習慣データ等と、位置ベクトルとの対応を見て、関連する位置ベクトルを決定し、新たに入力されたメッセージに対する位置ベクトルとする。位置ベクトルは、表１を使用して、受診者の検査結果や生活習慣データから、各検診項目において受診者がどのレベルにあるかを判断し（複数可）、１つまたは複数の検診項目に対応することで取得される。なお、ここでは各要素が「ゼロでない」ベクトルを抽出する。その後、算出されたこの新たに入力されたアドバイスメッセージの位置ベクトルに対応する関連度である第２関連度が関連度算出部５００（位置ベクトル算出部４００中に有り）で算出される。
【００９０】
以上の事について、下の表３、４、５を参照した事例でさらに説明する。
【００９１】
【表３】
2010277574.tif 000005
【００９２】
例えば受診者の各検診項目における受信結果が（ＢＭＩ＞３０、腹囲〜９５、最高血圧＞１４０、中性脂肪＜１５０、空腹時血糖値＜１００、喫煙習慣あり、飲酒習慣なし）の場合、各検診項目に対応する７つの位置ベクトルが表４（表の内容は表１と同じ）から得られる（表４中のＫ３，Ｋ５，Ｋ９，Ｋ１０，Ｋ１３，Ｋ１７，Ｋ１８の７つの８次元位置ベクトル）。
【００９３】
新たにアドバイスメッセージとして「太り気味なので、食事の量を控えめにし、できるだけ歩くように努める」というメッセージを入力部２００から入力したとすると、解析部３００において「太」「食」「歩く」というキーワードが抽出され、表３から導きだされた関連分野から食事、運動、肥満の各関連項目が導き出される。
【００９４】
【表４】
2010277574.tif 000006
【００９５】
アドバイスメッセージに対する位置ベクトルは一つであり、導き出された位置ベクトルが複数ある場合は、位置ベクトル算出部４００において一つの位置ベクトルに設定される。例えば、複数の位置ベクトルにおいて、その長さが一番長いものや、表３から導きだされた関連分野の何れかの要素が最大であるものを選択してもよいし、それらの間で相加平均、加重平均をとったものでもよい。ここでは、まず位置ベクトル算出部４００において上記の７つの位置ベクトルのうち食事、運動、運動、の要素が最大になっているＫ３、Ｋ５、Ｋ９の位置ベクトルが導き出され、それ以外の位置ベクトルは対象外とする。
【００９６】
その後、２つの位置ベクトルを導き出し、相加平均を行う。なお、上記の食事、運動、運動、の要素が最大になっているＫ３、Ｋ５、Ｋ９の位置ベクトルを導出してそれ以外の位置ベクトルを対象外とする手法や、相加平均を行う手法は一例であって、これらの手法に限定されるべきではない。
【００９７】
上で導き出されたＫ３、Ｋ５、Ｋ９の３つの位置ベクトルの中で、食事、運動、肥満の各関連項目が最大クラスのもの（例えば要素が３または２のもの）を導き出すとすると、Ｋ３，Ｋ５の２つのベクトルが導き出される。次に、Ｋ３、Ｋ５の位置ベクトルの相加平均をとって、新たにベクトルを算出する。新たに算出された位置ベクトルは、[２、２、２．５、０．５、１、１、０、０]となる。
【００９８】
以上の例により、位置ベクトル算出部４００において一つの位置ベクトル、[２、２、２．５、０．５、１、１、０、０]が算出される。この結果、表５に示すように、新たに入力されたアドバイスメッセージ「太り気味なので、食事の量を控えめにし、できるだけ歩くように努める」というメッセージと、位置ベクトル[２、２、２．５、０．５、１、１、０、０]が設定され、第２テーブルに追加され第２格納部１２０に格納される（同表の３行目）。
【００９９】
第２テーブルに追加する場合、８次元のベクトル空間における座標（０，０，０，３，０，０，０，０）は８つの関連項目をベクトル軸としているので、各関連項目の関連の度合いはベクトルの要素から求めることができ、この関連の度合いを用いて、関連項目と新規のアドバイスメッセージとの関連の度合いを示す第２関連度として、第２テーブルを新規のアドバイスメッセージに対応させて格納する。
【０１００】
位置ベクトル算出部４００で算出された入力部２００から入力されたアドバイスメッセージの位置ベクトルに対応する関連度（第２関連度）は、位置ベクトル算出部４００中の関連度算出部５００で算出される。
【０１０１】
なお、新たに入力されたアドバイスメッセージの中に、表３記載のようなキーワードが含まれていない場合、上記の手法では位置ベクトルを算出できない事となるが、解析部３００は例えば次のように対応してもよい。
【０１０２】
新たに入力されたアドバイスメッセージと表３のキーワードに類似したキーワードとを比較して、新たに入力されたアドバイスメッセージの中から表３のキーワードに類似したキーワードを取得して、該類似したキーワードを類似の比較をした比較元である表３中のキーワード（該当キーワードとも呼ぶ）とみなして関連項目を決定する。その後、これまで説明してきたような手法で解析部３００、位置ベクトル算出部４００を経て位置ベクトルが算出される。
【０１０３】
なお、類似したキーワードについて説明する。例えば次のようなものである。表３のキーワードを１つ又は複数の文字（以下、構成文字）に分解し、それらの構成文字が新たに入力されたアドバイスメッセージの中にあるかを探索する（＝新たに入力されたアドバイスメッセージと表３のキーワードに類似したキーワードとの比較）。新たに入力されたアドバイスメッセージの中に構成文字が含まれていた場合は（＝新たに入力されたアドバイスメッセージの中からの表３のキーワードに類似したキーワードの取得）、その含まれていた構成文字が構成していた分解前のキーワードをもって、表３中に存在する該当キーワード（類似の比較をした比較元であるキーワード）とする。因みに、この構成文字が表３のキーワード（該当キーワード）に類似したキーワードである。構成文字としては、漢字１文字や、複数文字のカタカナ（単語）等が取りうる。
【０１０４】
例えば、「糖分をさける」というアドバイスメッセージを新たに追加する場合は、表３には「糖分」というキーワードがないので、この手法でキーワードを決定する。すなわち、まず表３中のキーワードを構成文字に分解する。例えば、関連項目：血糖の中のキーワード「砂糖」から漢字一文字の「糖」が構成文字として分解、抽出される。次に、「糖分をさける」というアドバイスメッセージ中を探索した結果、構成文字「糖」が含まれることから、分解前のキーワード「砂糖」が該当キーワードとなり、構成文字「糖」が表３のキーワード（該当キーワード）に類似したキーワードとなる。このようにして、該類似したキーワード（構成文字「糖」）を類似の比較をした比較元である表３中のキーワード（分解前のキーワード「砂糖」）とみなして、関連項目を決定する。
【０１０５】
【表５】
2010277574.tif 000007
【０１０６】
次に、図５の動作フロー図について説明する。なお、同図中のステップＳ１０〜Ｓ１６については、先の実施形態で説明したものと同じであるので説明は省略する。
【０１０７】
ステップＳ１００において、指導者が新たにアドバイスメッセージを追加したい場合には、ステップＳ１０１へ移行する。この場合、指導者は入力部２００から入力する。指導者が新たにアドバイスメッセージを追加しない場合には、ステップＳ１２へ移行し、先の実施形態で説明したステップＳ１２〜Ｓ１６のフロー動作を行なう。
【０１０８】
ステップＳ１０１において、解析部３００は入力部２００から入力されたアドバイスメッセージの内容を解析してキーワードを抽出する。
【０１０９】
ステップＳ１０２において、解析部３００は抽出したキーワードから関連項目を割り当てる。
【０１１０】
ステップＳ１０３において、位置ベクトル算出部４００は、解析部３００の結果を使用して、また第１格納部のデータを使用して、入力部２００から入力されたアドバイスメッセージの位置ベクトルを算出する。
【０１１１】
ステップＳ１０４において、位置ベクトル算出部４００は関連項目と新規のアドバイスメッセージとの関連の度合いを示す第２関連度として、第２テーブル（第２格納部１２０）に新規のアドバイスメッセージを対応させて格納する。
【０１１２】
このように、新たなメッセージが入力されるごとに、受診者の状態に応じたベクトルを付加し、アドバイスメッセージの拡張を行うことが可能となる。
【０１１３】
新たに加わったアドバイスメッセージは、同じような条件の受診者を指導する際、候補のメッセージとして表示されることとなる。
（作用・効果）
指導者が新たにアドバイスメッセージを追加した場合、次回以降の指導の場面で、指導者自らが作成したアドバイスメッセージが、所望の場面でアドバイスメッセージ候補として表示されることとなり、指導の効率化を図ることができる。また、アドバイスメッセージに応じた位置ベクトルが自動的に付加されるので、位置ベクトルを手動で算出する手間を省くことが出来る。
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１１４】
例えばアドバイスメッセージ選択システム１は、選択部１４０が選択した健診結果の位置ベクトルに近い位置ベクトルを有する既述のアドバイスメッセージ候補について、当該健診結果とアドバイスメッセージ候補の関係をＬＵＴ（Look Up Table）化して保存していても構わない。図７（ａ）に示すようにアドバイスメッセージ選択システム１は、ＬＵＴ部６００を備えて上記ＬＵＴを保存している。この場合、指導者が健診結果を入力してアドバイスメッセージ候補を選択する場合には、アドバイスメッセージ選択システム１はＬＵＴ部６００を参照する事でアドバイスメッセージ候補を選択する事になり、選択部１４０による選択をその都度行なう事は行わない。なお、既に述べた健診項目の範囲の追加、変更や、アドバイスメッセージの追加がなされた場合において、選択部１４０は、新たに健診結果とアドバイスメッセージ候補の関係をＬＵＴ化し、新たにＬＵＴ化されたテーブルをＬＵＴ部６００に保存する。
【０１１５】
同様に、健康管理支援装置１０００が選択部１４０が選択した健診結果の位置ベクトルに近い位置ベクトルを有する既述のアドバイスメッセージ候補について、当該健診結果とアドバイスメッセージ候補の関係をＬＵＴ化して保存していても構わない。同図（ｂ）に示すように健康管理支援装置１０００は、少なくとも上記ＬＵＴを保存しているＬＵＴ部６００、受付け部１６０、表示部１５０を備えていればよい。この場合、指導者が健診結果を入力してアドバイスメッセージ候補を選択する場合には、健康管理支援装置１０００はＬＵＴ部６００を参照する事でアドバイスメッセージ候補を選択する事になり、選択部１４０による選択をその都度行なう事は行わない。なお、既に述べた健診項目の範囲の追加、変更や、アドバイスメッセージの追加がなされた場合において、選択部１４０は、健康管理支援装置１０００とは別の装置に存在して、新たに健診結果とアドバイスメッセージ候補の関係をＬＵＴ化し、新たにＬＵＴ化されたテーブルをＬＵＴ部６００に保存する。選択部１４０は健康管理支援装置１０００中に存在してもよい。
【０１１６】
また例えば、上述した実施形態では、選択部１４０によって選択されたアドバイスメッセージ候補は、表示部１５０に表示されることとしたが、これに限られるものではない。例えば、アドバイスメッセージ候補は、プリンターなどの出力装置によって出力されてもよい。
【０１１７】
また、上述した実施形態では、関連項目として、８つの項目を例に挙げて説明したが、関連項目は、少なくとも１つあればよい。
【０１１８】
なお、上述したアドバイスメッセージ選択システム１のハードウェア構成は、プログラムモジュールとして実現することができる。したがって、上述したアドバイスメッセージ選択システム１において実行されるとした処理は、アドバイスメッセージ選択システム１の機能を有した汎用コンピュータ等によって実行されてもよい。
【符号の説明】
【０１１９】
１０…健診結果データベース
２０…通信網
３０…指導者側端末
４０…受診者側端末
１００…健診結果取得部
１１０…第１格納部
１２０…第１取得部
１２０…第２格納部
１４０…第２取得部
１３０…位置ベクトル取得部
１４０…選択部
１５０…表示部
１６０…受付け部
１７０…送信部
１８０…変更部
１０００…健康管理支援装置
【図１】
2010277574.tif 000008
【図２】
2010277574.tif 000009
【図３】
2010277574.tif 000010
【図４】
2010277574.tif 000011
【図５】
2010277574.tif 000012
【図６】
2010277574.tif 000013
【図７】
2010277574.tif 000014